(57)【特許請求の範囲】
【請求項１】
相手方側端子金具に接続される端子接続部と、
前記端子接続部の後方に設けられ、芯線が絶縁被覆によって覆われた絶縁電線を圧着した状態に保持する電線保持部とを含み、
前記電線保持部は、
絶縁電線が載置される底壁部と、
前記底壁部の一方側縁に連なる第１絶縁電線加締部と、
前記底壁部の他方側縁に連なる第２絶縁電線加締部とを含み、
前記底壁部、前記第１絶縁電線加締部および前記第２絶縁電線加締部のうちの前記底壁部のみに、前記絶縁電線の加締時に前記絶縁電線に食い込む複数の爪が形成されており、
前記複数の爪は、平面視において、前記底壁部の一方の側縁側を下側としかつ他方の側縁側を上側とする略ハの字に沿って間隔をおいて配置されており、
前記複数の爪は、前記略ハの字における左側斜線部に沿って間隔をおいて配置された複数の爪と、前記略ハの字における右側斜線部に沿って間隔をおいて配置された複数の爪とを含む、端子金具。
【請求項２】
相手方側端子金具に接続される端子接続部と、
前記端子接続部の後方に設けられ、芯線が絶縁被覆によって覆われた絶縁電線を圧着した状態に保持する電線保持部とを含み、
前記電線保持部は、
絶縁電線が載置される底壁部と、
前記底壁部の一方側縁に連なる第１絶縁電線加締部と、
前記底壁部の他方側縁に連なる第２絶縁電線加締部とを含み、
前記底壁部、前記第１絶縁電線加締部および前記第２絶縁電線加締部のうち、前記第１絶縁電線加締部および前記第２絶縁電線加締部のいずれか一方のみに、前記絶縁電線の加締時に前記絶縁電線に食い込む複数の爪が形成されており、
前記複数の爪は、それらが設けられている方の絶縁電線加締部における前記底壁部に近い側縁側を下側としかつ他方の側縁側を上側とする略ハの字に沿って間隔をおいて配置されており、
前記複数の爪は、前記略ハの字における左側斜線部に沿って間隔をおいて配置された複数の爪と、前記略ハの字における右側斜線部に沿って間隔をおいて配置された複数の爪とを含む、端子金具。
【請求項３】
前記第１絶縁電線加締部および前記第２絶縁電線加締部における、前記底壁部の側縁に対して直交する方向の長さは、前記底壁部上に前記絶縁電線の接続側端部が載置された状態で、一方の前記絶縁電線加締部が前記底壁部の上面に重なるように折り曲げられた後に、他方の前記絶縁電線加締部が前記底壁部の上面に重なるように折り曲げたられたときに、両者の少なくとも一部が互いに重なり合うような長さに形成されている、請求項１または２に記載の端子金具。
【請求項４】
相手方側端子金具に接続される端子接続部と、
前記端子接続部の後方に設けられ、芯線が絶縁被覆によって覆われた絶縁電線を圧着した状態に保持する電線保持部とを含み、
前記電線保持部は、
絶縁電線が載置される底壁部と、
前記底壁部の一方側縁に連なる第１絶縁電線加締部と、
前記底壁部の他方側縁に連なる第２絶縁電線加締部とを含み、
前記底壁部、前記第１絶縁電線加締部および前記第２絶縁電線加締部のうち、前記第１絶縁電線加締部および前記第２絶縁電線加締部のそれぞれのみに、前記絶縁電線の加締時に前記絶縁電線に食い込む複数の爪が形成されており、
前記第１絶縁電線加締部および前記第２絶縁電線加締部のそれぞれに形成された前記複数の爪は、前記各絶縁電線加締部における前記底壁部に近い側縁側を下側としかつ他方の側縁側を上側とする略ハの字に沿って間隔をおいて配置されており、
前記各絶縁電線加締部において、前記複数の爪は、前記略ハの字における左側斜線部に沿って間隔をおいて配置された複数の爪と、前記略ハの字における右側斜線部に沿って間隔をおいて配置された複数の爪とを含む、端子金具。
【請求項５】
前記第１絶縁電線加締部および前記第２絶縁電線加締部における、前記底壁部の側縁に対して直交する方向の長さは、前記底壁部上に前記絶縁電線の接続側端部が載置された状態で、一方の前記絶縁電線加締部が前記底壁部の上面に重なるように折り曲げられた後に、他方の前記絶縁電線加締部が前記底壁部の上面に重なるように折り曲げたられたときに、両者が互いに重ならないような長さに形成されている、請求項４に記載の端子金具。
【請求項６】
前記爪は切り起し爪である、請求項１〜５のいずれか一項に記載の端子金具。
【請求項７】
前記爪は切り起し爪であり、
前記絶縁電線が前記電線保持部によって圧着された状態では、前記切り起し爪は、前記絶縁電線を貫通しかつ先端が折り返されている、請求項１〜５のいずれか一項に記載の端子金具。
【請求項８】
前記爪は切り起し爪であり、
前記絶縁電線が前記電線保持部によって圧着された状態では、前記切り起し爪は、前記絶縁電線を貫通しかつ先端が折り返されるような刃高の大きい第１切り起し爪と、前記絶縁電線に入り込むが前記絶縁電線を貫通しない刃高の小さい第２切り起し爪とを含む、請求項１〜５のいずれか一項に記載の端子金具。
【請求項９】
前記請求項１〜８のいずれかに記載の端子金具と、当該端子金具の前記電線保持部に一端部が電気的かつ機械的に接続された絶縁電線とを含む、端子金具付き絶縁電線。
【請求項１０】
前記請求項１〜８のいずれかに記載の端子金具と、当該端子金具の前記電線保持部に一端部が電気的かつ機械的に接続されかつ芯線が絶縁被覆によって覆われた絶縁電線とを含み、
前記芯線は、横断面横長矩形の導電体からなり、前記絶縁被覆は、前記芯線を上下方向から挟んで互いに重ね合わされた状態で張り合わされた２枚の帯状の不織布を含む、端子金具付き絶縁電線。
【発明の詳細な説明】
【技術分野】
【０００１】
この発明は、端子金具および端子金具付き絶縁電線に関する。
【背景技術】
【０００２】
特許文献１には、相手側端子金具に接続される端子接続部と、端子接続部の後方に形成され、絶縁電線を圧着して保持する電線保持部とを備えた端子金具が開示されている。電線保持部は、底壁と、底壁の後端部の両側縁から立ち上がる一対の電線被覆加締部と、電線被覆加締部の前方において、底壁の両側縁から立ち上がる一対の芯線加締部とを備えている。端子金具に接続される側の絶縁電線の一端部（前端部）は、絶縁被覆が除去されて芯線が露出している。絶縁電線の前端部において露出している芯線は、芯線加締部によって加締められて、電線保持部に導通可能な状態で固定されている。絶縁電線における絶縁被覆によって被覆されている部分の前端部は、電線被覆加締部によって加締められて、電線保持部に固定されている。
【先行技術文献】
【特許文献】
【０００３】
【特許文献１】特開２００３−４５５３４号公報
【発明の概要】
【発明が解決しようとする課題】
【０００４】
前記特許文献１に記載の端子金具では、絶縁電線を端子金具に電気的かつ機械的に接続するためには、絶縁電線の接続側端部の絶縁被覆を除去して芯線を露出させる必要がある。
この発明の目的は、絶縁電線の接続側端部の絶縁被覆を除去することなしに、絶縁電線の接続側端部を端子金具に電気的かつ機械的に接続することができる端子金具およびその端子金具が一端部に取り付けられた端子金具付き絶縁電線を提供することである。
【課題を解決するための手段】
【０００５】
請求項１に記載の発明は、相手方側端子金具に接続される端子接続部と、前記端子接続部の後方に設けられ、芯線が絶縁被覆によって覆われた絶縁電線を圧着した状態に保持する電線保持部とを含み、前記電線保持部は、絶縁電線が載置される底壁部と、前記底壁部の一方側縁に連なる第１絶縁電線加締部と、前記底壁部の他方側縁に連なる第２絶縁電線加締部とを含み、前記底壁部、前記第１絶縁電線加締部および前記第２絶縁電線加締部のうちの前記底壁部のみに、前記絶縁電線の加締時に前記絶縁電線に食い込む複数の爪が形成されており、前記複数の爪は、平面視において、前記底壁部の一方の側縁側を下側としかつ他方の側縁側を上側とする略ハの字に沿って間隔をおいて配置されており、前記複数の爪は、前記略ハの字における左側斜線部に沿って間隔をおいて配置された複数の爪と、前記略ハの字における右側斜線部に沿って間隔をおいて配置された複数の爪とを含む、端子金具である。絶縁電線に食い込む爪には、絶縁電線に入り込むが絶縁電線を貫通しない爪の他、絶縁電線に入り込みかつ絶縁電線を貫通する爪も含まれる。
【０００６】
雌型端子金具の電線保持部の底壁部上に、絶縁電線の一端部（接続側端部）を絶縁被覆が除去されていない状態のまま載置する。そして、電線保持部の絶縁電線加締部を底壁部上面に重ねるように折り曲げ、絶縁電線を底壁部の上面に押圧する。これにより、絶縁電線の接続側端部は、第１および第２絶縁電線加締部によって底壁部に押し付けられた状態で、電線保持部に固定される。この際、底壁部、第１電線加締部および第２電線加締部のうちの底壁部のみに形成された複数の爪が絶縁電線の絶縁被覆に食い込むので、複数の爪のうちの少なくとも１つの爪が、絶縁電線の芯線に入り込んだ状態または貫通した状態となる。これにより、芯線と雌型端子金具とが電気的に接続される。つまり、この雌型端子金具では、絶縁電線の接続側端部の絶縁被覆を除去することなしに、絶縁電線の接続側端部を雌型端子金具に電気的かつ機械的に接続することができる。
【０００７】
請求項２に記載の発明は、相手方側端子金具に接続される端子接続部と、前記端子接続部の後方に設けられ、芯線が絶縁被覆によって覆われた絶縁電線を圧着した状態に保持する電線保持部とを含み、前記電線保持部は、絶縁電線が載置される底壁部と、前記底壁部の一方側縁に連なる第１絶縁電線加締部と、前記底壁部の他方側縁に連なる第２絶縁電線加締部とを含み、前記底壁部、前記第１絶縁電線加締部および前記第２絶縁電線加締部のうち、前記第１絶縁電線加締部および前記第２絶縁電線加締部のいずれか一方のみに、前記絶縁電線の加締時に前記絶縁電線に食い込む複数の爪が形成されており、前記複数の爪は、それらが設けられている方の絶縁電線加締部における前記底壁部に近い側縁側を下側としかつ他方の側縁側を上側とする略ハの字に沿って間隔をおいて配置されており、前記複数の爪は、前記略ハの字における左側斜線部に沿って間隔をおいて配置された複数の爪と、前記略ハの字における右側斜線部に沿って間隔をおいて配置された複数の爪とを含む、端子金具である。
【０００８】
請求項３に記載の発明は、前記第１絶縁電線加締部および前記第２絶縁電線加締部における、前記底壁部の側縁に対して直交する方向の長さは、前記底壁部上に前記絶縁電線の接続側端部が載置された状態で、一方の前記絶縁電線加締部が前記底壁部の上面に重なるように折り曲げられた後に、他方の前記絶縁電線加締部が前記底壁部の上面に重なるように折り曲げたられたときに、両者の少なくとも一部が互いに重なり合うような長さに形成されている、請求項１または２に記載の端子金具である。
【０００９】
請求項４に記載の発明は、相手方側端子金具に接続される端子接続部と、前記端子接続部の後方に設けられ、芯線が絶縁被覆によって覆われた絶縁電線を圧着した状態に保持する電線保持部とを含み、前記電線保持部は、絶縁電線が載置される底壁部と、前記底壁部の一方側縁に連なる第１絶縁電線加締部と、前記底壁部の他方側縁に連なる第２絶縁電線加締部とを含み、前記底壁部、前記第１絶縁電線加締部および前記第２絶縁電線加締部のうち、前記第１絶縁電線加締部および前記第２絶縁電線加締部のそれぞれのみに、前記絶縁電線の加締時に前記絶縁電線に食い込む複数の爪が形成されており、前記第１絶縁電線加締部および前記第２絶縁電線加締部のそれぞれに形成された前記複数の爪は、前記各絶縁電線加締部における前記底壁部に近い側縁側を下側としかつ他方の側縁側を上側とする略ハの字に沿って間隔をおいて配置されており、前記各絶縁電線加締部において、前記複数の爪は、前記略ハの字における左側斜線部に沿って間隔をおいて配置された複数の爪と、前記略ハの字における右側斜線部に沿って間隔をおいて配置された複数の爪とを含む、端子金具である。
【００１０】
請求項５に記載の発明は、前記第１絶縁電線加締部および前記第２絶縁電線加締部における、前記底壁部の側縁に対して直交する方向の長さは、前記底壁部上に前記絶縁電線の接続側端部が載置された状態で、一方の前記絶縁電線加締部が前記底壁部の上面に重なるように折り曲げられた後に、他方の前記絶縁電線加締部が前記底壁部の上面に重なるように折り曲げたられたときに、両者が互いに重ならないような長さに形成されている、請求項４に記載の端子金具である。
【００１１】
請求項６に記載の発明は、前記爪は切り起し爪である、請求項１〜５のいずれか一項に記載の端子金具である。
請求項７に記載の発明は、前記爪は切り起し爪であり、前記絶縁電線が前記電線保持部によって圧着された状態では、前記切り起し爪は、前記絶縁電線を貫通しかつ先端が折り返されている、請求項１〜５のいずれか一項に記載の端子金具である。
請求項８に記載の発明は、前記爪は切り起し爪であり、前記絶縁電線が前記電線保持部によって圧着された状態では、前記切り起し爪は、前記絶縁電線を貫通しかつ先端が折り返されるような刃高の大きい第１切り起し爪と、前記絶縁電線に入り込むが前記絶縁電線を貫通しない刃高の小さい第２切り起し爪とを含む、請求項１〜５のいずれか一項に記載の端子金具である。
【００１２】
請求項９に記載の発明は、前記請求項１〜８のいずれかに記載の端子金具と、当該端子金具の前記電線保持部に一端部が電気的かつ機械的に接続された絶縁電線とを含む、端子金具付き絶縁電線である。
請求項１０に記載の発明は、前記請求項１〜８のいずれかに記載の端子金具と、当該端子金具の前記電線保持部に一端部が電気的かつ機械的に接続されかつ芯線が絶縁被覆によって覆われた絶縁電線とを含み、前記芯線は、横断面横長矩形の導電体からなり、前記絶縁被覆は、前記芯線を上下方向から挟んで互いに重ね合わされた状態で張り合わされた２枚の帯状の不織布を含む、端子金具付き絶縁電線である。
【図面の簡単な説明】
【００１３】
【図１】図１は、この発明を雌型端子金具に適用した場合の実施形態を示す一部切欠き斜視図である。
【図２】図２は、図１の雌型端子金具を示す平面図である。
【図３】図３は、図１の雌型端子金具を示す一部切欠き側面図である。
【図４】図４は、図１の雌型端子金具を示す拡大背面図である。
【図５】図５は、絶縁電線の横断面を示す拡大断面図である。
【図６】図６は、図１の雌型端子金具に絶縁電線が固定された状態を示す平面図である。
【図７】図７は、図６の側面図である。
【図８】図８は、図６のVIII-VIII線に沿う拡大断面図である。
【図９】図９は、図１の雌型端子金具およびそれに装着されるカバーを示す分解斜視図である。
【図１０】図１０は、図１の雌型端子金具にカバーが装着された状態を示す縦断面図である。
【図１１】図１１は、図１０のXI-XI線に沿う拡大断面図である。
【図１２】図１２は、切り起し爪の配置パターンの他の例を示す部分平面図である。
【図１３】図１３は、切り起し爪の配置パターンの他の例を示す部分平面図である。
【図１４】図１４は、切り起し爪が絶縁電線加締部に形成された雌型端子金具の例を示す部分平面図である。
【図１５】図１５は、図１４の側面図である。
【図１６】図１６は、図１４の雌型端子金具に絶縁電線が固定された状態を示す断面図である。
【図１７】図１７は、各絶縁電線加締部の立ち上がり長が、絶縁電線固定時に両者が互いに重なり合わないような長さに形成されている雌型端子金具の例を示す部分平面図である。
【図１８】図１８は、図１７の側面図である。
【図１９】図１９は、図１７の雌型端子金具に絶縁電線が固定された状態を示す断面図である。
【図２０】図２０は、切り起し爪の他の例を示す拡大断面図ある。
【図２１】図２１Ａは、切り起し爪のさらに他の例を示す拡大断面図あり、図２１Ｂは、絶縁電線固定後の当該切り起し爪を示す拡大断面図である。
【図２２】図２２Ａは、切り起し爪のさらに他の例を示す拡大断面図あり、図２２Ｂは、絶縁電線固定後の当該切り起し爪を示す拡大断面図である。
【図２３】図２３Ａは、切り起し爪のさらに他の例を示す拡大断面図あり、図２３Ｂは、当該切り起し爪を示す拡大斜視図である。
【図２４】図２４は、切り起し爪のさらに他の例を示す拡大断面図ある。
【図２５】図２５は、切り起し爪以外の爪の例を示す断面図である。
【発明を実施するための形態】
【００１４】
以下では、この発明の実施の形態を、添付図面を参照して詳細に説明する。
図１は、この発明を雌型端子金具に適用した場合の実施形態を示す斜視図である。図２は、図１の雌型端子金具を示す平面図である。図３は、図１の雌型端子金具を示す一部切欠き側面図である。図４は、図１の雌型端子金具を示す拡大背面図である。
この雌型端子金具（ソケット）１は、所定形状の導電性板状体に曲げ加工等を施して成形されたものである。雌型端子金具１は、前後方向に延び、相手方端子金具（この実施形態では雄型端子金具（プラグ））（図示略）に接続される端子接続部２と、端子接続部２の後方に設けられ、絶縁電線１００を圧着して保持する電線保持部３と、端子接続部２と電線保持部３とを連結する連結部４とを備えている。
【００１５】
端子接続部２は、雌型端子金具１の材料である導電性板状体のほぼ前半部分を円筒状に曲げることにより形成されている。端子接続部２は第１円筒状部分２１と、第１円筒状部分２１の後方に連なり、第１円筒状部分２１よりも径の大きな第２円筒状部分２２とを含む。第１円筒状部分２１および第２円筒状部分２２の横断面形状は、中心の真上の一箇所が分断された有端環状である。
【００１６】
第１円筒状部分２１は、前端側に、前方に向かって径が大きくなるテーパ状端部２３を有している。このテーパ状端部２３により、雄型端子金具を端子接続部２に挿入しやすくなる。第１円筒状部分２１の両側部には、雌型端子金具１に後述する端子カバー（キャップ）５０（図９参照）が装着された際に、端子カバー５０が雌型端子金具１から外れるのを防止するための一対の外れ防止片２４が設けられている。一対の外れ防止片２４は、第１円筒状部分２１の両側部の一部を外方に切り起すことによって形成されている。一対の外れ防止片２４は、その前端が第１円筒状部分２１の両側部に連なっており、後方に行くほど互いの間隔が大きくなるように、後方斜め外側方に延びている。
【００１７】
連結部４は、第２円筒状部分２２の後端のほぼ下半部に連なる断面Ｕ形の半円筒状である。
電線保持部３は、連結部４に連なり平面視で前後方向に長い矩形状の底壁部３１と、底壁部３１の両側縁から立ち上がる一対の絶縁電線加締部３２，３３とからなる。以下において、一方の絶縁電線加締部３２を第１絶縁電線加締部３２といい、他方の絶縁電線加締部３３を第２絶縁電線加締部３３という場合がある。平面視において、底壁部３１の幅は、連結部４の幅よりも大きい。各絶縁電線加締部３２，３３は、側面視において、前後方向に長い矩形状である。各絶縁電線加締部３２，３３の立ち上がり長（底壁部３１の側縁に対して直交する方向の長さ）は、底壁部３１上に絶縁電線１００の一端部が載置された状態で、一方の絶縁電線加締部が底壁部３１の上面に重なるように折り曲げられた後に、他方の絶縁電線加締部が底壁部３１の上面に重なるように折り曲げられたときに、両者の少なくとも一部が互いに重なり合うような長さに形成されている。
【００１８】
底壁部３１には、底壁部３１の一部を上方に切り起すことによって形成された複数の切り起し爪３４が形成されている。各切り起し爪３４は、側面視において、上方が尖った三角形状であり、その基部が底壁部３１に連なっている。この実施形態では、底壁部３１の前端から長さ中央までの領域においては、底壁部３１の前端部の第１絶縁電線加締部３２寄りの位置から、底壁部３１の長さ中央部の第２絶縁電線加締部３３寄りの位置に向かって斜め後方に延びる第１仮想線に沿って間隔をおいて複数の切り起し爪３４が形成されている。一方、底壁部３１の長さ中央から後端までの領域においては、底壁部３１の長さ中央部の第２絶縁電線加締部３３寄りの位置から、底壁部３１の後端部の第１絶縁電線加締部３２寄りの位置に向かって斜め後方に延びる第２仮想線に沿って間隔をおいて複数の切り起し爪３４が形成されている。つまり、複数の切り起し爪３４は、底壁部３１の幅方向の複数の異なる位置に形成された複数の切り起し爪３４を含んでいる。
【００１９】
図５は、絶縁電線１００の横断面を示す拡大断面図である。
絶縁電線１００は、横断面横長矩形の導電体からなる芯線１０１と、芯線１０１を被覆する帯状の絶縁被覆１０２とからなる。絶縁被覆１０２は、この実施形態では、芯線１０１を上下方向から挟んで互いに重ね合わされた状態で張り合わされた２枚の帯状の不織布１１１，１１２を含んでいる。芯線１０１は、不織布１１１，１１２間のほぼ幅中央部を通っている。２枚の不織布１１１，１１２は、それらの対向面に形成されたポリエチレン等のホットメルト接着剤層（図示略）を加熱することによって張り合わされている。
【００２０】
図６は、雌型端子金具１に絶縁電線１００が固定された状態を示す平面図である。図７は、図６の側面図である。図８は、VIII-VIII線に沿う拡大断面図である。
まず、雌型端子金具１の電線保持部３の底壁部３１上に、絶縁電線１００の一端部（接続側端部）を絶縁被覆１０２が除去されていない状態のまま載置する。そして、電線保持部３の一方の絶縁電線加締部３２を底壁部３１の上面に重なるように折り曲げ、絶縁電線１００を底壁部３１上面に押圧する。この後、他方の絶縁電線加締部３３を一方の絶縁電線加締部３２の上面に重なるように折り曲げ、一方の絶縁電線加締部３２を絶縁電線１００に押圧する。これにより、両方の絶縁電線加締部３２，３３の大部分は、互いに重なり合った状態となる。これにより、絶縁電線１００の接続側端部は、絶縁電線加締部３２，３３によって底壁部３１に押し付けられた状態で、電線保持部３に固定される。この際、底壁部３１に形成された複数の切り起し爪３４が絶縁電線１００の絶縁被覆１０２に食い込むので、複数の切り起し爪３４のうちの少なくとも一部の切り起し爪３４が、絶縁電線１００の芯線１０１に入り込んだ状態または貫通した状態となる。これにより、芯線１０１と雌型端子金具１とが電気的に接続される。
【００２１】
つまり、この実施形態に係る雌型端子金具１では、絶縁電線１００の接続側端部の絶縁被覆を除去することなしに、絶縁電線１００の接続側端部を雌型端子金具１に電気的かつ機械的に接続することができる。また、この実施形態では、複数の切り起し爪３４は、底壁部３１の幅方向の位置が異なる複数位置にそれぞれ形成された複数の切り起し爪３４を含んでいるので、絶縁電線１００の芯線１０１が絶縁被覆１０２の幅中央位置からずれた位置に形成されている場合にも、芯線１０１を雌型端子金具１に電気的に接続できる。
【００２２】
図９は、雌型端子金具１およびそれに装着される端子カバー５０を示す分解斜視図である。図１０は、雌型端子金具１にカバー５０が装着された状態を示す縦断面図である。図１１は、図１０のXI-XI線に沿う拡大断面図である。
端子カバー５０は、筒状であり、雌型端子金具１における端子接続部２が挿入される前側の円筒部５１と、雌型端子金具１における連結部４および電線保持部３が挿入される後側の角筒部５２とからなる。円筒部５１の横断面形状は円環状である。円筒部５１の両端は開口している。円筒部５１の内周面には、雌型端子金具１の端子接続部２が挿入されたときに、端子接続部２の外れ防止片２４と係合する左右一対の係合凹部（図示略）が形成されている。
【００２３】
角筒部５２の横断面形状は、横長の四角環状である。角筒部５２の中空部の断面形状は、角部が外方に凸の湾曲状に形成された横長の四角形状である。角筒部５２の後端は開口している。角筒部５２は、前端に前端壁５３を有している。この前端壁５３には、中央部に円筒部５１の中空部と連通する貫通孔が形成されている。角筒部５２の前端壁５３の外面における貫通孔の周縁部に円筒部５１の後端部が連結されている。円筒部５１および角筒部５２は、合成樹脂等の絶縁材料によって一体的に形成されている。
【００２４】
絶縁電線１００が固定された雌型端子金具１への端子カバー５０の装着は、端子カバー５０の後端側から端子カバー５０の中空部内に雌型端子金具１を挿入することにより行われる。雌型端子金具１への端子カバー５０の中空部内への挿入は、雌型端子金具１の端子接続部２が端子カバー５０の円筒部５１内に挿入されるまで行われる。これにより、端子カバー５０の円筒部５１内に雌型端子金具１の端子接続部２が挿入され、端子カバー５０の角筒部５２内に雌型端子金具１における連結部４および電線保持部３が挿入された状態となる。この状態においては、雌型端子金具１の外れ防止片２４が円筒部５１の内周面に形成された係合凹部（図示略）に係合するため、雌型端子金具１は端子カバー５０から抜けにくくなる。言い換えれば、端子カバー５０は、雌型端子金具１から外れにくくなる。
【００２５】
以上、この発明の実施形態について説明したが、この発明はさらに他の形態で実施することもできる。たとえば、前述の実施形態では、複数の切り起し爪３４は電線保持部３の底壁部３１において、前述した第１仮想線および第２仮想線に沿って間隔をおいて形成されているが、複数の切り起し爪３４は、他の配置パターンで底壁部３１に形成されていてもよい。
【００２６】
複数の切り起し爪は、たとえば、図１２に示すように、平面視において、電線保持部３の底壁部３１に、マトリクス状配置で形成されていてもよい。また、複数の切り起し爪は、たとえば、図１３に示すように、平面視において、電線保持部３の底壁部３１に、千鳥状配置で形成されていてもよい。いずれの配置パターンにおいても、複数の切り起し爪３４は、底壁部３１の幅方向の位置が異なる複数位置にそれぞれ形成された複数の切り起し爪３４を含んでいる。
【００２７】
また、複数の切り起し爪３４は、電線保持部３の底壁部３１ではなく、第１絶縁電線加締部３２および第２絶縁電線加締部３３の一方に設けられていてもよい。図１４および図１５は、複数の切り起し爪３４が、底壁部３１、第１絶縁電線加締部３２および第２絶縁電線加締部３３のうちの第１絶縁電線加締部３２にのみ形成されている雌型端子金具１Ａを示している。図１４および図１５に示される雌型端子金具１Ａでは、複数の切り起し爪３４の配置パターンは、前記実施形態の配置パターンと同様であるが、マトリクス状配置や千鳥状配置で形成されていてもよい。いずれの配置パターンにおいても、複数の切り起し爪３４は、第１絶縁電線加締部３２の立ち上がり方向の位置が異なる複数位置にそれぞれ形成された複数の切り起し爪３４を含んでいる。このように、複数の切り起し爪３４が一方の絶縁電線加締部３２にのみ形成されている場合には、絶縁電線固定時には、図１６に示すように、まず、切り起し爪３４が形成されている絶縁電線加締部３２が折り曲げられてから、他方の絶縁電線加締部３３が折り曲げられる。
【００２８】
なお、底壁部３１、第１絶縁電線加締部３２および第２絶縁電線加締部３３のうちの第２絶縁電線加締部３３にのみ複数の切り起し爪３４が形成されていてもよい。その場合には、絶縁電線固定時には、第２絶縁電線加締部３３が折り曲げられてから、第１絶縁電線加締部３２が折り曲げられる。
前述の実施形態では、各絶縁電線加締部３２，３３の立ち上がり長は、底壁部３１上に絶縁電線１００の一端部が載置された状態で、一方の絶縁電線加締部が底壁部３１の上面に重なるように折り曲げられた後に、他方の絶縁電線加締部が底壁部３１の上面に重なるように折り曲げられたときに、両者の少なくとも一部が互いに重なり合うような長さに形成されている。
【００２９】
しかし、図１７〜図１９に示す雌型端子金具１Ｂのように、各絶縁電線加締部３２，３３の立ち上がり長は、底壁部３１上に絶縁電線１００の一端部が載置された状態で、一方の絶縁電線加締部が底壁部３１の上面に重なるように折り曲げられた後に、他方の絶縁電線加締部が底壁部３１の上面に重なるように折り曲げられたときに、両者が互いに重なり合わないような長さに形成されていてもよい。
【００３０】
この場合には、図１７〜図１９に示すように、底壁部３１、第１絶縁電線加締部３２および第２絶縁電線加締部３３のそれぞれに１以上の切り起し爪３４が形成されていてもよい。このような場合、絶縁電線固定時には、底壁部３１上に絶縁電線１００の一端部が載置された状態で、いずれか一方の絶縁電線加締部が底壁部３１の上面に重なるように折り曲げられた後に、他方の絶縁電線加締部が底壁部３１の上面に重なるように折り曲げられる。なお、底壁部３１上に絶縁電線１００の一端部が載置された状態で、両絶縁電線加締部３２,３３が同時に底壁部３１の上面に重なるように折り曲げられてもよい。
【００３１】
各絶縁電線加締部３２，３３の立ち上がり長が、絶縁電線固定時に両者が互いに重なり合わないような長さに形成されている場合には、底壁部３１、第１絶縁電線加締部３２および第２絶縁電線加締部３３のうちの少なくとも１つに、１以上の切り起し爪３４が形成されていればよい。たとえば、底壁部３１には切り起し爪は形成されずに、第１絶縁電線加締部３２および第２絶縁電線加締部３３のそれぞれに１以上の切り起し爪３４が形成されていてもよい。
【００３２】
切り起し爪３４の形態（形状）は、前述の実施形態に示された形態には限られない。たとえば、切り起し爪は、図２０に示すように、刃高が異なる複数種類の切り起し爪３４Ａ，３４Ｂを含んでいてもよい。図２０では、底壁部の一部を切り起こすことによって形成された切り起し爪３４Ａ，３４Ｂを示しているが、絶縁電線加締部３２，３３の一部を切り起こすことによって形成される切り起し爪にも適用できる。以下、同様である。
【００３３】
また、切り起し爪３４は、図２１Ａおよび図２１Ｂに示すように、絶縁電線１００が固定された状態では、絶縁電線１００を貫通しかつ先端が折り返されるような形態を有していてもよい。
また、切り起し爪３４は、図２２Ａおよび図２２Ｂに示すように、絶縁電線１００が固定された状態では、絶縁電線１００を貫通しかつ先端が折り返されるような刃高の大きい切り起し爪３４Ｃと、絶縁電線１００に入り込むが絶縁電線１００を貫通しない刃高の小さい切り起し爪３４Ｄとを含むものであってもよい。
【００３４】
また、切り起し爪３４は、図２３Ａおよび図２３Ｂに示すように、突出端側ほど外径が小さくなる筒状でかつ突出端にバリを有する形態であってもよい。
また、切り起し爪３４は、図２４に示すように、略円錐の形状を有するものであってもよい。
また、切り起し爪３４の代わりに、切り起し爪以外の爪を用いてもよい。たとえば、図２５に示すように、針部を有する画鋲状の爪３４Ｅを用いてもよい。図２５の例では、底壁部３１に爪固定用孔３１ａが形成されおり、爪固定用孔３１ａに爪３４Ｅの針部が下方から挿入された状態で、底壁部３１に固定されている。
【００３５】
前述では、この発明を雌型端子金具に適用した場合の実施形態について説明したが、この発明を、雄型端子金具（プラグ）に適用するとも可能である。この発明を雄型端子金具に適用する場合には、前述の雌型端子金具１，１Ａ，１Ｂの端子接続部２、電線保持部３および連結部４のうちの端子接続部２を、雌型端子金具（ソケット）に接続される端子接続部に変更すればよい。
【００３６】
その他、特許請求の範囲に記載された事項の範囲で種々の設計変更を施すことが可能である。
【符号の説明】
【００３７】
１，１Ａ，１Ｂ  雌型端子金具
２  端子接続部
３  電線保持部
４  連結部
２１  第１円筒状部分
２２  第２円筒状部分
２３  テーパ部
２４  外れ防止片
３１  底壁部
３２  第１絶縁電線加締部
３３  第２絶縁電線加締部
３４，３４Ａ〜３４Ｄ  切り起し爪
３４Ｅ  爪
５０  端子カバー
５１  円筒部
５２  角筒部
５３  前端壁
１００  絶縁電線
１０１  芯線
１０２  絶縁被覆
１１１，１１２  不織布
【図１】
0006518207.tif 000002
【図２】
0006518207.tif 000003
【図３】
0006518207.tif 000004
【図４】
0006518207.tif 000005
【図５】
0006518207.tif 000006
【図６】
0006518207.tif 000007
【図７】
0006518207.tif 000008
【図８】
0006518207.tif 000009
【図９】
0006518207.tif 000010
【図１０】
0006518207.tif 000011
【図１１】
0006518207.tif 000012
【図１２】
0006518207.tif 000013
【図１３】
0006518207.tif 000014
【図１４】
0006518207.tif 000015
【図１５】
0006518207.tif 000016
【図１６】
0006518207.tif 000017
【図１７】
0006518207.tif 000018
【図１８】
0006518207.tif 000019
【図１９】
0006518207.tif 000020
【図２０】
0006518207.tif 000021
【図２１】
0006518207.tif 000022
【図２２】
0006518207.tif 000023
【図２３】
0006518207.tif 000024
【図２４】
0006518207.tif 000025
【図２５】
0006518207.tif 000026